【手続補正書】
【提出日】平成23年9月26日(2011.9.26)
【手続補正１】
【補正対象書類名】特許請求の範囲
【補正対象項目名】全文
【補正方法】変更
【補正の内容】
【特許請求の範囲】
【請求項１】
始動口に遊技球が入球したことを条件として大当たり抽選を行い、当該抽選において当選した場合にその当たり種別に応じた大入賞口開放遊技に移行させると共に、前記大入賞口開放遊技の終了後の遊技状態を、前記大当たり抽選における大当たりの当選確率が通常確率である通常確率状態と、前記通常確率よりも高い確率である高確率状態とのいずれかに移行させる遊技機であって、
前記大入賞口開放遊技において大入賞口を開閉する役物と、
前記大当たり抽選を行って当選した場合に、前記当たり種別として前記大入賞口の１回当たりの開放時間が長く設定される第１の大入賞口開放遊技と、前記大入賞口の１回当たりの開放時間が前記第１の大入賞口開放遊技よりも短く設定される第２の大入賞口開放遊技とのいずれか一方を設定すると共に、前記第１および第２の大入賞口開放遊技の終了後における遊技状態として前記通常確率状態と前記高確率状態とのいずれか一方を設定する遊技状態設定手段と、
前記大入賞口開放遊技において前記大入賞口に遊技球が入賞したことを検知する入賞検知手段と、
前記入賞検知手段によって検知される前記大入賞口開放遊技中の入賞個数をカウントし、そのカウント値が所定個数に達したか否かを判断する入賞カウント手段と、
前記入賞カウント手段により前記カウント値が前記所定個数に達したことが検知された場合、前記大入賞口開放遊技の終了後の遊技状態が前記通常確率状態と前記高確率状態とのいずれであるかを報知する報知手段と、
を備えることを特徴とする遊技機。
【請求項２】
前記入賞カウント手段は、前記当たり種別として前記第２の大入賞口開放遊技が設定された場合に、前記第２の大入賞口開放遊技中の入賞個数をカウントし、
前記報知手段は、前記入賞カウント手段によって前記第２の大入賞口開放遊技中のカウント値が前記所定個数に達した場合、前記第２の大入賞口開放遊技の終了後の遊技状態が前記通常確率状態と前記高確率状態とのいずれであるかを報知することを特徴とする請求項１記載の遊技機。
【請求項３】
始動口に遊技球が入球したことを条件として大当たり抽選を行い、当該抽選において当選した場合にその当たり種別に応じた大入賞口開放遊技に移行させると共に、前記大入賞口開放遊技の終了後の遊技状態を、前記大当たり抽選における大当たりの当選確率が通常確率である通常確率状態と、前記通常確率よりも高い確率である高確率状態とのいずれかに移行させる遊技機であって、
第１大入賞口を開閉する第１役物と、
前記第１大入賞口とは異なる位置に設けられた第２大入賞口を開閉する第２役物と、
前記大当たり抽選を行って当選した場合に、前記第１役物が前記第１大入賞口を開閉する当たりであって前記第１大入賞口の１回当たりの開放時間が長く設定される第１の大入賞口開放遊技と、前記第２役物が前記第２大入賞口を開閉する当たりであって前記第２大入賞口の１回当たりの開放時間が前記第１の大入賞口開放遊技よりも短く設定される第２の大入賞口開放遊技とのいずれか一方を設定すると共に、前記第１および第２の大入賞口開放遊技の終了後における遊技状態として前記通常確率状態と前記高確率状態とのいずれか一方を設定する遊技状態設定手段と、
前記第２の大入賞口開放遊技において前記第２大入賞口に遊技球が入賞したことを検知する入賞検知手段と、
前記入賞検知手段によって検知される前記第２の大入賞口開放遊技中の入賞個数をカウントし、そのカウント値が所定個数に達したか否かを判断する入賞カウント手段と、
前記入賞カウント手段により前記カウント値が前記所定個数に達したことが検知された場合、前記第２の大入賞口開放遊技の終了後の遊技状態が前記通常確率状態と前記高確率状態とのいずれであるかを報知する報知手段と、
を備えることを特徴とする遊技機。
【請求項４】
電源投入時以降の経過時間を計測する計時手段をさらに備え、
前記入賞カウント手段は、前記計時手段によって計測される電源投入時以降の経過時間に応じて、前記所定個数の値を変化させることを特徴とする請求項１乃至３のいずれかに記載の遊技機。
【請求項５】
現在時刻をカウントする計時手段をさらに備え、
前記入賞カウント手段は、前記計時手段の現在時刻に応じて、前記所定個数の値を変化させることを特徴とする請求項１乃至３のいずれかに記載の遊技機。
【手続補正２】
【補正対象書類名】明細書
【補正対象項目名】００１１
【補正方法】変更
【補正の内容】
【００１１】
上記目的を達成するため、請求項１にかかる発明は、始動口に遊技球が入球したことを条件として大当たり抽選を行い、当該抽選において当選した場合にその当たり種別に応じた大入賞口開放遊技に移行させると共に、前記大入賞口開放遊技の終了後の遊技状態を、前記大当たり抽選における大当たりの当選確率が通常確率である通常確率状態と、前記通常確率よりも高い確率である高確率状態とのいずれかに移行させる遊技機であって、前記大入賞口開放遊技において大入賞口を開閉する役物と、前記大当たり抽選を行って当選した場合に、前記当たり種別として前記大入賞口の１回当たりの開放時間が長く設定される第１の大入賞口開放遊技と、前記大入賞口の１回当たりの開放時間が前記第１の大入賞口開放遊技よりも短く設定される第２の大入賞口開放遊技とのいずれか一方を設定すると共に、前記第１および第２の大入賞口開放遊技の終了後における遊技状態として前記通常確率状態と前記高確率状態とのいずれか一方を設定する遊技状態設定手段と、前記大入賞口開放遊技において前記大入賞口に遊技球が入賞したことを検知する入賞検知手段と、前記入賞検知手段によって検知される前記大入賞口開放遊技中の入賞個数をカウントし、そのカウント値が所定個数に達したか否かを判断する入賞カウント手段と、前記入賞カウント手段により前記カウント値が前記所定個数に達したことが検知された場合、前記大入賞口開放遊技の終了後の遊技状態が前記通常確率状態と前記高確率状態とのいずれであるかを報知する報知手段とを備えることを特徴としている。
かかる請求項１の発明によれば、大当たり抽選に当選した場合の大入賞口開放遊技において、大入賞口に所定個数の遊技球を入賞させることができると、その大入賞口開放遊技の終了後の遊技状態が通常確率状態と高確率状態とのいずれであるかを報知させることができる。そのため、大入賞口開放遊技後の遊技状態に関心を持つ遊技者は、通常確率状態と高確率状態とのいずれが設定されているかを報知させようとして、大入賞口開放遊技中は大入賞口に遊技球を入球させることに集中するようになる。
また請求項２にかかる発明は、請求項１記載の遊技機において、前記入賞カウント手段は、前記当たり種別として前記第２の大入賞口開放遊技が設定された場合に、前記第２の大入賞口開放遊技中の入賞個数をカウントし、前記報知手段は、前記入賞カウント手段によって前記第２の大入賞口開放遊技中のカウント値が前記所定個数に達した場合、前記第２の大入賞口開放遊技の終了後の遊技状態が前記通常確率状態と前記高確率状態とのいずれであるかを報知することを特徴としている。
かかる請求項２の発明によれば、１回当たりの開放時間が第１の大入賞口開放遊技よりも短く設定される第２の大入賞口開放遊技において、大入賞口に所定個数の遊技球を入賞させることができると、その第２の大入賞口開放遊技の終了後の遊技状態が通常確率状態と高確率状態とのいずれであるかを報知させることができる。それ故、この場合は特に、第２の大入賞口開放遊技で遊技者が多くの賞球を獲得することが困難であっても、遊技者をその第２の大入賞口開放遊技に集中させることができる。
【手続補正３】
【補正対象書類名】明細書
【補正対象項目名】００１２
【補正方法】変更
【補正の内容】
【００１２】
また請求項３にかかる発明は、始動口に遊技球が入球したことを条件として大当たり抽選を行い、当該抽選において当選した場合にその当たり種別に応じた大入賞口開放遊技に移行させると共に、前記大入賞口開放遊技の終了後の遊技状態を、前記大当たり抽選における大当たりの当選確率が通常確率である通常確率状態と、前記通常確率よりも高い確率である高確率状態とのいずれかに移行させる遊技機であって、第１大入賞口を開閉する第１役物と、前記第１大入賞口とは異なる位置に設けられた第２大入賞口を開閉する第２役物と、前記大当たり抽選を行って当選した場合に、前記第１役物が前記第１大入賞口を開閉する当たりであって前記第１大入賞口の１回当たりの開放時間が長く設定される第１の大入賞口開放遊技と、前記第２役物が前記第２大入賞口を開閉する当たりであって前記第２大入賞口の１回当たりの開放時間が前記第１の大入賞口開放遊技よりも短く設定される第２の大入賞口開放遊技とのいずれか一方を設定すると共に、前記第１および第２の大入賞口開放遊技の終了後における遊技状態として前記通常確率状態と前記高確率状態とのいずれか一方を設定する遊技状態設定手段と、前記第２の大入賞口開放遊技において前記第２大入賞口に遊技球が入賞したことを検知する入賞検知手段と、前記入賞検知手段によって検知される前記第２の大入賞口開放遊技中の入賞個数をカウントし、そのカウント値が所定個数に達したか否かを判断する入賞カウント手段と、前記入賞カウント手段により前記カウント値が前記所定個数に達したことが検知された場合、前記第２の大入賞口開放遊技の終了後の遊技状態が前記通常確率状態と前記高確率状態とのいずれであるかを報知する報知手段とを備えることを特徴としている。
かかる請求項３の発明によれば、大当たり抽選に当選した場合の第２の大入賞口開放遊技において、第２大入賞口に所定個数の遊技球を入賞させることができると、その第２の大入賞口開放遊技の終了後の遊技状態が通常確率状態と高確率状態とのいずれであるかを報知させることができる。そのため、第２の大入賞口開放遊技後の遊技状態に関心を持つ遊技者は、通常確率状態と高確率状態とのいずれが設定されているかを報知させようとして、第２の大入賞口開放遊技中は第２大入賞口に遊技球を入球させることに集中するようになる。
【手続補正４】
【補正対象書類名】明細書
【補正対象項目名】００１３
【補正方法】変更
【補正の内容】
【００１３】
また請求項４にかかる発明は、請求項１乃至３のいずれかに記載の遊技機において、電源投入時以降の経過時間を計測する計時手段をさらに備え、前記入賞カウント手段は、前記計時手段によって計測される電源投入時以降の経過時間に応じて、前記所定個数の値を変化させることを特徴としている。
かかる請求項４の発明によれば、第２の大入賞口開放遊技後の遊技状態を報知させることが、電源投入時以降の経過時間によって容易になったり、また難しくなったりする。それ故、遊技が単調になることを防止することができる。また例えば、店舗への来客数が少なくなる時間帯に第２の大入賞口開放遊技後の遊技状態を比較的容易に報知させることができるように設定しておけば、その時間帯での来客数が増加することを期待できるようになる。
【手続補正５】
【補正対象書類名】明細書
【補正対象項目名】００１４
【補正方法】変更
【補正の内容】
【００１４】
また請求項５にかかる発明は、請求項１乃至３のいずれかに記載の遊技機において、現在時刻をカウントする計時手段をさらに備え、前記入賞カウント手段は、前記計時手段の現在時刻に応じて、前記所定個数の値を変化させることを特徴としている。
かかる請求項５の発明によれば、入賞カウント手段が、計時手段の現在時刻に応じて所定個数の値を変化させるので、大入賞口開放遊技後の遊技状態を報知させることが、時刻によって容易になったり、また難しくなったりする。それ故、遊技が単調になることを防止することができる。また例えば、店舗への来客数が少なくなる時間帯に大入賞口開放遊技後の遊技状態を比較的容易報知させることができるように設定しておけば、その時間帯での来客数が増加することを期待できるようになる。
【手続補正６】
【補正対象書類名】明細書
【補正対象項目名】００１５
【補正方法】変更
【補正の内容】
【００１５】
本発明にかかる遊技機によれば、大当たり抽選に当選した場合の大入賞口開放遊技において、大入賞口に所定個数の遊技球を入賞させることができると、その大入賞口開放遊技の終了後の遊技状態が通常確率状態と高確率状態とのいずれであるかを報知させることができる。そのため、大入賞口開放遊技中は多くの賞球を獲得することが困難であったとしても、大入賞口開放遊技後の遊技状態に関心を持つ遊技者は、通常確率状態と高確率状態とのいずれが設定されているかを報知させようとして、大入賞口開放遊技中に、大入賞口に遊技球を入球させることに集中するようになる。